(57)【要約】【課題】デスケーリング装置を被圧延材の厚さの変動や反りに応じて昇降させた場合でも、フレキシブルホースによった場合のように支持機構やホースの破れなどの問題が生じるのを防止できる、熱間圧延ラインにおけるデスケーリング装置、熱間圧延における被圧延材のデスケーリング方法、および、熱延金属帯の製造方法を提供する。【解決手段】上側のデスケーリングヘッダー３に向け水を供給する配管４を、スイベルジョイント４ａを介して屈曲可能とする。【選択図】図１
2010240660.tif 000002
【特許請求の範囲】
【請求項１】
テーブルロールを回転させることで搬送されてくる被圧延材を挟んで上下に、前記被圧延材の幅方向にわたって設けられ、前記被圧延材の幅方向にノズルを列設したデスケーリングヘッダーと、該デスケーリングヘッダーに向け前記ノズルから噴射するための水を供給する配管と、上側の前記デスケーリングヘッダーを昇降させるための上下移動装置と、を備えた熱間圧延ラインにおけるデスケーリング装置において、
上側の前記デスケーリングヘッダーに向け水を供給する配管を、スイベルジョイントを介して屈曲可能とした
ことを特徴とする熱間圧延ラインにおけるデスケーリング装置。
【請求項２】
テーブルロールを回転させることで搬送されてくる被圧延材の上下表面に向け、前記被圧延材を挟んで上下に、前記被圧延材の幅方向にわたって設けられたデスケーリングヘッダーに列設されたノズルから、水を噴射することで、前記被圧延材を脱スケールする、熱間圧延における被圧延材のデスケーリング方法において、
上側の前記デスケーリングヘッダーに向け水を供給する配管を、スイベルジョイントを介して屈曲可能とすることで、前記ノズルの高さを可変としておき、前記被圧延材の厚さおよび／または反りに応じて、前記被圧延材の上表面から前記ノズルまでの高さを、前記被圧延材の表面上、隣接する前記ノズルから噴射される水のラップ領域の長さが適切な範囲となるように、調整する
ことを特徴とする熱間圧延における被圧延材のデスケーリング方法。
【請求項３】
請求項２の方法を用いた熱延金属帯の製造方法。
【発明の詳細な説明】
【技術分野】
【０００１】
本発明は、熱間圧延ラインにおけるデスケーリング装置、熱間圧延における被圧延材のデスケーリング方法、および、熱延金属帯の製造方法に関する。
【背景技術】
【０００２】
一例として、図５に示すような帯鋼の熱間圧延ライン１００の場合を例にとる。
【０００３】
熱間圧延とは、一般的に、連続鋳造、または、造塊、分塊によって製造されたスラブ状の金属材料を加熱炉にて数百乃至千数百℃に加熱した後、熱間圧延ライン上に抽出し、一対または複数対のロールで挟圧しつつそのロールを回転させることで、薄く延ばし、コイル状に巻き取る一連のプロセスである。
【０００４】
加熱炉１０により数百乃至千数百℃に加熱された厚み150〜300mmの金属材料（以下、被圧延材）８は、粗圧延機１２、仕上圧延機１８により厚み1.2〜25mmまで圧延されて金属板（金属帯）状に薄く延ばされ、冷却設備２６により冷却されたのち、コイラー（巻取装置）２４によりコイル状に巻き取られる。
【０００５】
仕上圧延機１８を構成する各圧延機同士の間を除いて、圧延機同士の間ではテーブルロール７が被圧延材８を搬送する。仕上圧延機１８とコイラー２４の間のテーブルロール７は、特に、ランナウトテーブル２３と呼ばれる。
【０００６】
１４はクロップシャー、１はデスケーリング装置である。このほか、被圧延材８の温度、寸法（厚さ、幅）、形状などを測定する各種センサが、熱間圧延ライン１００中の随所に設置されている。５０は制御装置、７０はプロセスコンピュータ、９０はビジネスコンピュータである。
【０００７】
図６（ａ）にデスケーリング装置１の正面図を模式的に示す。被圧延材の幅方向に列設されたノズル２からは、図示しないポンプから吐出されるときの圧力にして10乃至60MPaの高圧の水が噴射される。なお、代表して上側だけを示しているが、下側にも被圧延材の幅方向にノズル２が列設されている。
【０００８】
ノズル２から噴射される水は、ノズル２から遠ざかるにつれて広がるため、特に上側のノズル２については、通常、10乃至150mmの適切な範囲の長さのラップ領域ｄができるよう、設計上、テーブルローラ７の頂点同士を結んでできる仮想線（パスラインＰＬ）からの、ノズル２の高さが決められる。
【０００９】
そして、被圧延材８の厚さの最大と最小を考え、いずれの厚さの被圧延材８の場合でも、被圧延材８の表面上、隣接するノズル２から噴射される水に、適切な範囲の長さのラップ領域ｄができるようにしたい。
【００１０】
ところが、仕上圧延機１８の入側にあるデスケーリング装置１の場合だと、被圧延材８の厚さは最大で60mm、最小で20mm、という具合に、その差は高々40mmしかないが、加熱炉１０の出側にあるデスケーリング装置１の場合だと、図６（ｂ）に示すように、最大で300mm、最小で100mm、という具合に、その差は200mmもある。
【００１１】
よって、被圧延材８の厚さの最大と最小の間隔が広くなるほど、いずれの厚さの被圧延材８の場合でも、被圧延材８の表面上、隣接するノズル２から噴射される水に、適切な範囲のラップ領域ｄができるように設計するのが難しくなる。
【００１２】
なお、隣接するノズル２から噴射される水は、図７（ａ）に示す正面図、図７（ｂ）に示す平面図のうちの、（ｂ）平面図を見てもわかる通り、厳密には10乃至20°の旋回角αをつけて噴射しているため、正面図的に見てラップ領域ｄができても、通常、互いに直接干渉し合うことはない。
【００１３】
ところが、ラップ領域ｄが大きくなり過ぎると被圧延材８上で高圧水同士が干渉して却ってスケールの剥離性が悪くなり、ラップ領域ｄが小さくなり過ぎてもやはりスケールの剥離性が悪くなることから、問題とするデスケーリング装置１の下を通過する被圧延材８の厚さの最大と最小の差が大きくなるほど、隣接するノズル２から噴射される水に、適切な範囲のラップ領域ｄができるように設計するのが難しくなるのである。
【００１４】
また、被圧延材８の全長にわたって厚さが一定していても、被圧延材８の長手方向に見た場合に図８（ｂ）に示すように、被圧延材８の一部に反りが生じていたような場合には、上記と同様の理由により、反りの生じていない領域では、被圧延材の幅方向に見た場合に図８（ｃ）に示すように、適切な範囲のラップ領域ｄができ、被圧延材８を平面図的に上方から見た場合に図８（ｄ）に示すように、被圧延材８の全面にわたり良好な脱スケール性が得られるが、反りが生じている領域では、被圧延材８の幅方向に見た場合に図８（ｅ）に示すように、ラップ領域ｄができなかったり、適切な範囲から外れたりして、被圧延材８を平面図的に上方から見た場合に図８（ｆ）に示すように、被圧延材８の全面のうち一部について良好な脱スケール性が得られなかったりする、という問題が起こる。
【００１５】
特許文献１や特許文献２では、デスケーリング装置１のうちの、デスケーリングヘッダー３と呼ばれるノズル２を列設した配管を、被圧延材８の厚さの変動に応じて昇降させることを提案している。
【００１６】
特許文献１では、その具体的な機構については明らかにはしていないが、特許文献２では、図９に示すように、デスケーリングヘッダー３にフレキシブルホース５を介して高圧の水を供給することを提案している。６は上下移動装置である。
【先行技術文献】
【特許文献】
【００１７】
【特許文献１】特開昭６３−０６８２１３号公報
【特許文献２】特開平０５−２２８５２６号公報
【発明の概要】
【発明が解決しようとする課題】
【００１８】
しかしながら、フレキシブルホース５には、図示しないポンプから高圧の水が吐出されている間は内部に高い圧力が加わって、このときフレキシブルホース５はピンと伸びようとする。ポンプが停止すると内部の圧力は殆ど失われ、フレキシブルホース５は撓む。
【００１９】
このような伸びたり撓んだりするフレキシブルホース５を支持しておく機構の設計が問題となるところ、特許文献２では、これについて何ら触れられていない。
【００２０】
すなわち、支持機構として強固なものを設けておかないと、フレキシブルホース５がピンと伸びようとしたときに支持機構が破壊されてしまうおそれが生じ、また、支持機構として強固なものを設けたとしても、フレキシブルホース５の内部に高い圧力が加わってピンと伸びようとするのを、無理に曲げた状態に維持しようとすると、フレキシブルホース５が破れてしまったりする問題が生じてくる。
【００２１】
本発明は、従来技術のかかる問題を解決するためになされたものであり、デスケーリング装置を被圧延材の厚さの変動や反りに応じて昇降させた場合でも、フレキシブルホースによった場合のように支持機構やホースの破れなどの問題が生じるのを防止できる、熱間圧延ラインにおけるデスケーリング装置、熱間圧延における被圧延材のデスケーリング方法、および、熱延金属帯の製造方法を提供することを目的とする。
【課題を解決するための手段】
【００２２】
すなわち、本発明は、以下の通りである。
（１）テーブルロールを回転させることで搬送されてくる被圧延材を挟んで上下に、前記被圧延材の幅方向にわたって設けられ、前記被圧延材の幅方向にノズルを列設したデスケーリングヘッダーと、該デスケーリングヘッダーに向け前記ノズルから噴射するための水を供給する配管と、上側の前記デスケーリングヘッダーを昇降させるための上下移動装置と、を備えた熱間圧延ラインにおけるデスケーリング装置において、
上側の前記デスケーリングヘッダーに向け水を供給する配管を、スイベルジョイントを介して屈曲可能とした
ことを特徴とする熱間圧延ラインにおけるデスケーリング装置。
（２）テーブルロールを回転させることで搬送されてくる被圧延材の上下表面に向け、前記被圧延材を挟んで上下に、前記被圧延材の幅方向にわたって設けられたデスケーリングヘッダーに列設されたノズルから、水を噴射することで、前記被圧延材を脱スケールする、熱間圧延における被圧延材のデスケーリング方法において、
上側の前記デスケーリングヘッダーに向け水を供給する配管を、スイベルジョイントを介して屈曲可能とすることで、前記ノズルの高さを可変としておき、前記被圧延材の厚さおよび／または反りに応じて、前記被圧延材の上表面から前記ノズルまでの高さを、前記被圧延材の表面上、隣接する前記ノズルから噴射される水のラップ領域の長さが適切な範囲となるように、調整する
ことを特徴とする熱間圧延における被圧延材のデスケーリング方法。
（３）（２）の方法を用いた熱延金属帯の製造方法。
【発明の効果】
【００２３】
本発明によれば、デスケーリング装置を被圧延材の厚さの変動や反りに応じて昇降させた場合でも、フレキシブルホースによった場合のように支持機構やホースの破れなどの問題が生じるのを防止できる、熱間圧延ラインにおけるデスケーリング装置、熱間圧延における被圧延材のデスケーリング方法、および、熱延金属帯の製造方法を提供できる。
【図面の簡単な説明】
【００２４】
【図１】本発明の一つの実施の形態について説明するための線図
【図２】本発明の作用について説明するための線図
【図３】本発明の別の実施の形態について説明するための線図
【図４】本発明の効果について説明するための線図
【図５】熱間圧延ラインの一例について説明するための線図
【図６】従来技術について説明するための線図
【図７】ノズルの設置のしかたについて説明するための線図
【図８】従来技術について説明するための線図
【図９】従来技術について説明するための線図
【発明を実施するための形態】
【００２５】
（第一の本発明の実施の形態）図１に、第一の本発明の実施の形態の一例に係る熱間圧延ラインにおけるデスケーリング装置を示す。図５に示した熱間圧延ライン１００の最も上流側、すなわち、幅プレス９の入側にあるデスケーリング装置１に本発明を適用した場合を例にとる。
【００２６】
図１に示す、第一の本発明の実施の形態の一例に係る熱間圧延ラインにおけるデスケーリング装置１は、テーブルロール７を回転させることで搬送されてくる被圧延材８を挟んで上下に、被圧延材８の幅方向にわたって設けられ、被圧延材８の幅方向にノズル２を列設したデスケーリングヘッダー３と、デスケーリングヘッダー３に向けノズル２から噴射するための水を供給する配管４と、上側のデスケーリングヘッダー３を昇降させるための上下移動装置６と、を備えた、例えば、図５にて説明した熱間圧延ライン１００などにおけるデスケーリング装置１において、上側のデスケーリングヘッダー３に向け水を供給する配管４を、スイベルジョイント４ａを介して屈曲可能としたことを特徴とする。
【００２７】
スイベルジョイント４ａに接続されてなる配管４の上流側すなわちノズル２と反対側は、図示しないポンプに接続されている。また、３ａはワイパーであり、被圧延材８の上に乗った余分な水をすくいとる役目をしている。
【００２８】
図２（ａ）に示すごとく、被圧延材８の厚さが厚い場合でも、図２（ｂ）に示すごとく、被圧延材８の厚さが薄い場合でも、スイベルジョイント４ａを屈曲させたり伸張させたりすることで、被圧延材８の表面上、隣接するノズル２から噴射される水には、適切な範囲の長さであって同一の長さのラップ領域ｄができるよう、パスラインＰＬからのノズル２の高さを一定に調整するのが、本発明の効果を得るのに最も好ましい方法である。
【００２９】
（第二の本発明の実施の形態）幅プレス９の入側にあるデスケーリング装置１を、以上説明した第一の本発明の実施の形態に係るデスケーリング装置１の装置構成とし、上側の前記デスケーリングヘッダー３に向け水を供給する配管４を、スイベルジョイント４ａを介して屈曲可能とすることで、ノズル２の高さを可変としておき、次々と搬送されてくる個々の被圧延材８の厚さに応じて、被圧延材８の上表面からノズル２までの高さを、被圧延材８の表面上、隣接するノズル２から噴射される水のラップ領域の長さｄが適切な範囲となるように、調整する。
【００３０】
図３（ａ）に示すごとく、テーブルロール７を回転させることで搬送方向Ａに向けて搬送されてくる被圧延材８の反り量を実測する反り量センサー１７（レーザー距離計などで構成可能）や、テーブルロール７がある一定の周長回転するごとにパルスを発するパルスジェネレータＰＧからのパルスを制御装置５０で捉え、プロセスコンピュータ７０からは、デスケーリング装置１の直下を被圧延材８が搬送される際の被圧延材の厚さをデータとして制御装置５０に送る。
【００３１】
制御装置５０は、上下移動装置６に向け、図３（ｂ）に示すごとく、最初、十分に高い位置に待機しておき、被圧延材８の先端が反り量センサー１７の直下に達した時点で、パスラインＰＬから反りの発生している高さＨに、隣接するノズル２から噴射される水に被圧延材８の幅方向に見た場合に適切な範囲の長さのラップ領域ｄができる高さｈを加えた高さまでノズル２の先端が移動するように指令し、反り量センサー１７の直下から、二つあるうちの出側のノズル２の直下までの距離Ｄだけ被圧延材８が搬送された後は、被圧延材８の長手方向の反り量の変化に合わせて、常に、被圧延材８の上表面からノズル２までの高さが、隣接するノズル２から噴射される水に被圧延材８の幅方向に見た場合に適切な範囲の長さのラップ領域ｄができる高さｈに維持されるよう、被圧延材８の搬送される距離に伴って、次第にノズル２の位置が下降していくように制御する。
【００３２】
第二の本発明のような方法によれば、デスケーリング装置を被圧延材の厚さの変動や反りに応じて昇降させた場合でも、フレキシブルホースによった場合のように支持機構やホースの破れなどの問題が生じるのを防止できるとともに、被圧延材８の全面のうち一部について良好な脱スケール性が得られなかったりする、という問題が生じるのを防止できる。
【００３３】
以上の通りであるが、本発明は、以上説明した実施の形態のものに限られるものではない。すなわち、以上説明した実施の形態は、図５に示した熱間圧延ライン１００の最も上流側、すなわち、幅プレス９の入側にあるデスケーリング装置１に本発明を適用した場合を例にとったが、本発明は、これに限られるものではなく、幅プレス９や粗圧延機１２のあるゾーンから仕上圧延機１８の入側のゾーンまで、あらゆる箇所にあるデスケーリング装置１に適用できる。
【００３４】
また、以上説明した実施の形態は、デスケーリングヘッダーが上下二対あるデスケーリング装置１を用いた場合を例に説明したが、本発明は、これに限られるものではなく、デスケーリングヘッダーが上下一対だけとか三対以上ある場合にも本発明は適用できる。
【実施例】
【００３５】
幅プレス９の入側にあるデスケーリング装置１を、以上説明した第一の本発明の実施の形態に係るデスケーリング装置１の装置構成とし、適切な範囲の長さのラップ領域ｄとして20mmができる高さｈを260mmとして、被圧延材８の厚さが300mmと260mmのものが混在する状況下で、第二の本発明の実施の形態のようにして、一ヶ月間操業すると、図４に示すごとく、従来、脱スケール不良が１％の割合で発生していたのが、本発明を適用した場合だとゼロになる。
【符号の説明】
【００３６】
１  デスケーリング装置
２  ノズル
３  デスケーリングヘッダー
３ａ  ワイパー
４  配管
４ａ  スイベルジョイント
５  フレキシブルホース
６  上下移動装置
７  テーブルロール
７ａ  モータ
８  被圧延材
９  幅プレス
１０  加熱炉
１２  粗圧延機
１３  エッジャーロール
１４  クロップシャー
１５  仕上入側温度計
１８  仕上圧延機
１９  ワークロール
１９Ａ  バックアップロール
２０  ルーパ
２１  仕上出側温度計
２２  仕上出側板厚計
２３  ランナウトテーブル
２４  コイラー
２５  コイラー入側温度計
２６  冷却設備
５０  制御装置
７０  プロセスコンピュータ
９０  ビジネスコンピュータ
１００  熱間圧延ライン
Ａ    搬送方向
ｄ    ラップ領域
ＰＬ  パスライン
ＰＧ  パルスジェネレータ
【図１】
2010240660.tif 000003
【図２】
2010240660.tif 000004
【図３】
2010240660.tif 000005
【図４】
2010240660.tif 000006
【図５】
2010240660.tif 000007
【図６】
2010240660.tif 000008
【図７】
2010240660.tif 000009
【図８】
2010240660.tif 000010
【図９】
2010240660.tif 000011